【事件の表示】
　平成１１年特許願第２９６２９１号「自動販売機」拒絶査定不服審判事件〔平成１３年　４月２７日出願公開、特開２００１−１１８１２８号〕について、次のとおり審決する。
【結　論】
　本件審判の請求は、成り立たない。
【理　由】
１．手続の経緯・本願発明 
　本願は、平成１１年１０月１９日の出願であって、平成１８年１月２５日付けで拒絶査定がなされ、平成１８年３月２日に拒絶査定不服審判の請求がなされたものであり、その請求項１に係る発明（以下、「本願発明」という。）は、平成１７年９月５日付けの手続補正で補正された明細書の特許請求の範囲の請求項１に記載された事項により特定される、以下のとおりのものである。 
「商品サンプルや電照板などの広告部を照明する自動販売機の照明装置であって、蛍光灯と、前記蛍光灯を駆動するインバータと、前記蛍光灯を駆動するための点灯パターンのデータを記憶する記憶手段と、前記記憶手段に記憶されている点灯パターンのデータを読み出し、この点灯パターンのデータに基づき蛍光灯を明るさの異なる２以上の照度で繰り返し駆動するようインバータに制御信号を出力する制御手段とを備えたことを特徴とする自動販売機の照明装置。」 
　 
２．引用刊行物 
　これに対して、原査定の拒絶の理由に引用された、本願出願前に頒布された刊行物である特開平５−４６８５７号公報（以下、「引用刊行物１」という。）には、図面とともに次の事項が記載されている。 
(ア)「機体内で原料から製造若しくは前記機体内に貯蔵した各種商品を販売する自動販売機であって、前記商品の内容を表示する広告，商品見本などを内部に陳列展示する展示室が前記機体の前面部に区画形成された自動販売機において、前記展示室とは別に前記機体の前面部に区画形成した、前記各種商品の中のお買い得商品，おすすめ商品などの、お客さんに特に注目して欲しい商品の前記商品見本を内部に展示し前方に表示する展示コーナと、この展示コーナ内に展示された前記商品見本を照明する照明装置とを具備したことを特徴とする自動販売機。」（特許請求の範囲の請求項１） 
(イ)「請求項１ないし請求項６記載の自動販売機において、照明装置がその光源の輝度を機体前面の照度の変化に伴い若しくは周期的に変化あるいはその光源を点滅する照明装置である自動販売機。」（特許請求の範囲の請求項７） 
(ウ)「この発明は、販売商品の内容を表示する広告，商品見本などを内部に陳列展示し機体の前面部に区画形成された展示室を備え、この展示室とは別に、各種商品の中のお買い得商品，おすすめ商品などの商品見本を内部に展示し前方に表示する展示コーナを機体の前面部に区画形成した自動販売機に関する。」（段落【０００１】）
(エ)「この発明は、各種販売商品の中の、お客さんに特に注目して欲しい商品の商品見本を一見して理解し易くかつ他の商品見本より際立たせて展示しお客さんに表示できる自動販売機を提供することを課題とする。」（段落【０００８】）
(オ)「上記課題を解決するため、この発明によれば、機体内で原料から製造若しくは前記機体内に貯蔵した各種商品を販売する自動販売機であって、前記商品の内容を表示する広告，商品見本などを内部に陳列展示する展示室が前記機体の前面部に区画形成された自動販売機において、前記展示室とは別に前記機体の前面部に区画形成した、前記各種商品の中のお買い得商品，おすすめ商品などの、特にお客さんに注目して欲しい商品の前記商品見本を内部に展示し前方に表示する展示コーナと、この展示コーナ内に展示された前記商品見本を照明する照明装置とを具備するものとする。」（段落【０００９】）
(カ)「また、上記に加え、照明装置がその光源の輝度を機体前面の照度の変化に伴い若しくは周期的に変化あるいはその光源を点滅する照明装置であるものとする。」（段落【００１５】）
(キ)「また、上記に加え、照明装置がその光源の輝度を機体前面の照度の変化に伴い若しくは周期的に変化あるいはその光源を点滅する照明装置であるものとしたので、機体の前面の照度よりも高い照度で若しくは、光を点滅させてあるいは、輝度を変化させて照明装置で照明することにより、自動販売機の周辺および自動販売機の他の部分と対象的に展示コーナ内の商品見本を目立たせて、人目をこの商品見本に引きつけることができる。」（段落【００２２】）
(ク)「図１において、１は販売商品を内部に収容し前面が開口するケースであり、このケース１の前面開口をこのケース１に回動自在に支持した扉２０で覆っており、この扉２０とケース１とで自動販売機の外周面を形成する機体２１を構成している。この機体２１の前面を形成する扉２０の前面上部には、前面を透明な覆い５で覆った展示室４を区画形成しており、この展示室４内には、この展示室４の奥行側の内壁８前面に描いた絵，文字などで表現した、図示しない広告を展示している。また展示室４内には、内壁８に後端を支持して展示室４内に配設した、上下２段の棚７上に、この棚７の前端面それぞれに左右に配列し覆い５の前面から前方に前端部を突出させて支持した複数の商品選択用の押釦６に対応させて配列した販売商品の商品見本１０を陳列展示している。展示室４の下には、各種販売商品の中のお買い得商品，おすすめ商品などの、特にお客さんに注目して欲しい商品の商品見本２２を内部に展示し前方に表示する展示コーナ２３を扉２０内に区画形成している。・・・また、展示コーナ２３内には、複数の光源３３を持ちこの光源３３の輝度が機体２１前面の照度の変化に伴い若しくは周期的に変化する、あるいは光源３３が点滅する照明装置３４を備えている。」（段落【００２４】）
(ケ)「販売商品の商品見本１０を内部に陳列展示する展示室４とは別に、扉２０の前面部に展示コーナ２３を区画形成したので、この展示コーナ２３内に展示した商品見本２２をお客さんが一見してお買い得商品，おすすめ商品などの商品見本２２であると理解できる。・・・またさらに、複数の光源３３を持ちこの光源３３の輝度が機体２１前面の照度の変化に伴い若しくは周期的に変化する、あるいは光源３３が点滅する照明装置３４で商品見本２２は照明されるので、自動販売機の周辺および自動販売機の他の部分より、展示コーナ２３内の商品見本２２を常に対象的に目立たせて前方から見易く表示できる。なお、商品見本２２の内部に光源３３を配設することにより、商品見本２２をあたかも自身が発光体であるかのごとく際立たせることもできる。」（段落【００２７】）
(コ)「また、上記に加え、照明装置がその光源の輝度を機体前面の照度の変化に伴い若しくは周期的に変化あるいはその光源を点滅する照明装置であるものとしたので、自動販売機の周辺および自動販売機の他の部分と対象的に展示コーナ内の商品見本を目立たせて人目をこの商品見本に引きつけることができる。」（段落【００３４】）
(サ）図１には、光源３３を有する照明装置３４が図示されている。
　また、(ク)及び(ケ)の記載より、照明装置が光源の輝度を周期的に変化させる手段を備えることは自明である。
　
　したがって、引用刊行物１には、 
「商品見本を内部に展示し前方に表示する展示コーナを照明する自動販売機の照明装置であって、照明装置は光源を有し、光源の輝度を周期的に変化させる手段を備える自動販売機の照明装置。」の発明（以下、「引用発明」という。）が記載されているものと認められる。 
　 
　また、原査定の拒絶の理由に引用された、本願出願前に頒布された刊行物である実願昭６３−１４９４４６号（実開平２−７０２８２号）のマイクロフィルム（以下、「引用刊行物２」という。）には、図面とともに次の事項が記載されている。 
(シ)「１）  金額を受取り商品を販売する自動販売機において、人が近づいたことを検出する顧客検出手段と、前記顧客検出手段の信号を入力して調光信号を出力する主制御手段と、調光のために必要な照度のデータを記憶するデータ記憶手段と、前記調光信号により出力電圧を変化する調光手段と、前記調光手段から受電する蛍光灯とからなることを特徴とする自動販売機の蛍光灯調光装置。
２）  請求項１記載の自動販売機の蛍光灯調光装置において、主制御手段が顧客検出手段の信号を入力したとき照度を上げる調光信号を出力する自動販売機の蛍光灯調光装置。
３）請求項１記載の自動販売機の蛍光灯調光装置において、主制御手段が顧客検出手段の信号を入力したとき照度を下げる調光信号を出力する自動販売機の蛍光灯調光装置。 」（実用新案登録請求の範囲） 
(ス)「この考案は、蛍光灯の照度を調整する自動販売機の蛍光灯の調光装置に関する。」（明細書第２頁第２行〜３行） 
(セ)「蛍光灯４が自動販売機１の上部及び中央部に配設されて電照板を明るく照らすようになっている。
　自動販売機１の内部に、第３図に示す処理手順を実行するＣＰＵやその処理手順に対応したプログラム等を格納したＲＯＭや価格設定に際して設定金額の一時蓄積等の作業用に用いるＲＡＭ等を有するマイクロコンピュータ等で構成されている主制御部５と、第３図に示す処理手順を実行するために必要な照度のデータを記憶するデータ記憶部６と、前記主制御部５からの信号で動作し出力電圧を変化させるインバータ７とが備えられている。」（明細書第４頁第７行〜１８行）
(ソ)「このような構成に於いて、顧客が居ない時には照度を低くし、かつ赤外線が遮断されたか常に点検している（ステップ１）。
　いま、顧客が自動販売機１のほば前に近寄ると、赤外線が遮断され赤外線センサ３からの信号により照度のデータに基づいてインバータ７を制御し、蛍光灯４に与えている電圧の遮断状態を中止して電力を供給し（ステップ２）、一定時間経過後、例えば一分経過後赤外線の状態を点検し遮断されていれば再度一分間待つ（ステップ３）、さらに赤外線の遮断が有るか点検し（ステップ４）、遮断がなければ電圧遮断を再度行い（ステップ５）、蛍光灯の照度を元の状態、すなわちステップ１の状態に戻す。
　第４図は第３図の一部の動作を変更するものであり、ステップ２において電圧遮断を開始して照度を低くし、ステップ５において電圧遮断を停止し照度を元の状態のように高くするものである。」（明細書第５頁第１行〜１８行）
　
３．対比及び判断 
　そこで、本願発明と引用発明とを対比すると、各文言の意味、機能又は作用からみて、後者における「商品見本を内部に展示し前方に表示する展示コーナ」は前者における「商品サンプルや電照板などの広告部」に相当すると認められる。 
　また、後者の「光源」と前者の「蛍光灯」とは、「光源」という概念で共通するものである。
　また、輝度と照度は相関するから、後者の「光源の輝度を周期的に変化させる手段」と前者の「蛍光灯を明るさの異なる２以上の照度で繰り返し駆動するようインバータに制御信号を出力する制御手段」とは、「光源を明るさの異なる２以上の照度で繰り返し駆動する手段」という概念で共通するものである。 
　
　したがって、両者は、 
「商品サンプルや電照板などの広告部を照明する自動販売機の照明装置であって、光源と、光源を明るさの異なる２以上の照度で繰り返し駆動する手段を備える自動販売機の照明装置。」 
の点で一致し、以下の点で相違する。 
　
　相違点：本願発明においては、光源が蛍光灯であり、蛍光灯を駆動するインバータと、前記蛍光灯を駆動するための点灯パターンのデータを記憶する記憶手段と、前記記憶手段に記憶されている点灯パターンのデータを読み出し、この点灯パターンのデータに基づき蛍光灯を明るさの異なる２以上の照度で駆動するようインバータに制御信号を出力する制御手段とを備えているのに対して、引用発明においては、光源が何であるか明記されておらず、光源の駆動が具体的にどのように行われるか不明な点。  
　
　そこで、上記相違点について検討する。 
　相違点について　
　引用刊行物２には自動販売機の照明装置が、「蛍光灯（蛍光灯４）を駆動するインバータ（インバータ７）と、蛍光灯（蛍光灯４）を駆動するための点灯パターンのデータ（調光のために必要な照度のデータ）を記憶する記憶手段（データ記憶部６）と、記憶手段（データ記憶部６）に記憶されている点灯パターンのデータ（調光のために必要な照度のデータ）を読み出し、この点灯パターンのデータ（調光のために必要な照度のデータ）に基づき蛍光灯（蛍光灯４）を明るさの異なる２以上の照度で駆動するようインバータ（インバータ７）に制御信号を出力する制御手段（主制御部５）とを備えている点」が記載されており、これを引用発明に適用して、相違点に係る本願発明の発明特定事項のようにすることは当業者が容易に想到し得たことである。
 
　また、本願発明による効果も、引用発明及び引用刊行物２に記載された発明から当業者が予測し得た程度のものであって、格別のものとはいえない。
　 
４．むすび  
　したがって、本願発明は、引用発明及び引用刊行物２に記載された発明に基いて当業者が容易に発明をすることができたものであるので、特許法第２９条第２項の規定により特許を受けることができない。 
　よって、結論のとおり審決する。